(57)【特許請求の範囲】
【請求項１】
流し台のシンク底面に取り付けた生ゴミ処理機用の投入口蓋において、開閉用ヒンジ装置を取り付けた生ゴミ投入口蓋の前端部に蓋の開閉用ハンドル付ラッチ錠を取り付け、更に他一方端部に蓋の着脱用ラッチ錠を設け、前記開閉用ハンドル付ラッチ錠の操作によって、生ゴミ投入口蓋を開放と施錠を施すと共に、前記着脱用ラッチ錠の操作によって生ゴミ投入口蓋を着脱させ、施錠と開閉手段とすることを特徴とした生ゴミ処理機用の着脱投入口蓋。
【請求項２】
生ゴミ投入口蓋の一方に排水口蓋を設け、前記生ゴミ投入口蓋と排水口蓋との間にヒンジ装置を取り付けて、前記生ゴミ投入口蓋と排水口蓋を連結接続し、これらを一体化手段とした請求項１記載の生ゴミ処理機用の着脱投入口蓋。
【請求項３】
流し台のシンク底面に取り付けた生ゴミ処理機用の投入口蓋において、生ゴミ投入口蓋の一方に排水口蓋を設けて一体化とし、前記生ゴミ投入口蓋の前端部に突出係止片を取り付けて施錠を施すと共に、更に他一方に蓋の着脱用ラッチ錠を取り付け、前記着脱用ラッチ錠の操作によって、前記一体化とした生ゴミ投入口蓋及び排水口蓋を着脱させ、施錠と開閉手段をすることを特徴とした生ゴミ処理機用の着脱投入蓋。
【発明の詳細な説明】
【技術の分野】
【０００１】  本発明は、流し台シンクの底面に取り付けた乾燥式生ゴミ処理機の生ゴミ投入口蓋及び排水口蓋とそれらに用いられる施錠に関する。
【背景技術】
【０００２】  従来の流し台シンクに取り付けた乾燥式生ゴミ処理機用の生ゴミ投入口蓋は、蓋の一方端を蝶番等で取り付け固定し蓋を開閉していた。
蓋は、開閉ハンドルで閉めて閉じていた。
（例えば特許文献１参照）【０００３】  また、流し台シンク底面に生ゴミ投入容器を垂下させて投入口蓋をかぶせて装着していたものもある。
（例えば特許文献２及び特許文献３参照）【０００４】  上記の何れの投入口蓋の裏側は、熱風や吸排気を導かせるための誘導装置を組み込んだものである。【０００５】  そして、投入口蓋には、施錠手段として平面ラッチ錠やリングラッチ錠等が用いられる。
（例えば特許文献４及び非特許文献１参照）【０００６】
【特許文献１】特開２００４−２５５１９９号
【特許文献２】特開２００５−１１３６８０号
【特許文献３】ＰＣＴ、ＮＯ．ＷＯ  ２００６／０５７１４４  Ａ１号
【特許文献４】特開平０８−２９１６５８号
【非特許文献１】  タキゲン製造株式会社  総合カタログ２００７年版  Ｐ１００７〜Ｐ１０１７
【発明の開示】
【発明が解決しょうとする課題】
【０００７】  以上に述べた従来の生ゴミ投入口蓋は、蓋の一方端部に蝶番金具等を用いて蝶番をネジ止め固定化し開閉手段としているため投入口蓋及び蝶番ごと同時に取り外して着脱させることができなかった。そのため、生ゴミ乾燥後発生する乾燥残渣粉が投入口蓋裏側や蝶番等に残渣が付着した時の除去や洗浄掃除が容易にできず不便であった。
また、蓋を閉めるとき、蓋の自重で急に蓋が落下して危険であった。
特許文献３のＰＣＴ、ＷＯ  ２００６／０５７１４４  Ａ１号による図３は、投入口蓋１の一方に設けた補助排水口２８の上面に排水トレーの付いた排水口蓋が投入口蓋１と一体化形成して設置されたものがあるが、これら一体化された排水口蓋は投入口蓋１と一体による固定形成方法であるため何れの蓋を開閉及び着脱するのに互いに同時にせねばならないと言う限定制限に問題点があった。
【０００８】  それに、従来の生ゴミ投入口蓋に施錠手段として取り付けられるラッチ錠は、残渣や排水がハンドルを収納する凹面空間部分等に溜まったり、ハンドル枢軸付近を介してハンドルケース内に排水が浸入するという支障があった。平面ラッチ錠やリングラッチ錠等が施錠手段として用いられるものの施錠方法にマッチした専用に用いるラッチ錠がなかったため不便で施錠方法に問題点があった。
【０００９】  本発明は、このような従来の構成が有していた問題点を解決しようとするもので、生ゴミ投入容器から投入口蓋を容易に開閉着脱させるために二点施錠方法とし、閉めるときはゆるやかにスロー閉じ蓋構造で、投入口蓋と補助排水口蓋を一体化としてこれらを同時に着脱させる方法と更に補助排水口蓋のみを閉じて投入口蓋のみを自在に開閉可能にする。そして施錠とするラッチ錠においては、残渣や排水が溜まることがなく、ハンドルケース内に排水が浸入させない手段とすることを目的とするものである。
【課題を解決するための手段】
【００１０】  本発明は、上記の目的を達成するために、投入口蓋の手前側である上面前端部と、他一方の奥側端部に個別に二点施錠方法の開閉ラッチ錠を設ける手段とする。
そして、常時投入口蓋の開放状態は、手前側から開放して奥側に開放蓋を直立に立てかけて開放倒立させることができるようにする。
【００１１】  開閉用のつがいであるヒンジ装置を取り付けた生ゴミ投入口蓋の上面前端部に、常時蓋を開閉させるための開閉用ハンドル付ラッチ錠を取り付け、更に一方の奥端部に投入口蓋を着脱させるための着脱用ラッチ錠を設ける。前記投入口蓋の開閉用ハンドル付ラッチ錠のハンドル操作によって、投入口蓋を常時自在に開閉させると共に施錠を施し、そして投入口蓋を前記着脱用ラッチ錠の操作によって着脱させて施錠と開閉手段とする。
着脱用ラッチ錠の解錠操作によって、投入口蓋に取り付けたヒンジ装置ごと同時に外せる構造とする。
【００１２】  また投入口蓋の一方に設ける補助排水口蓋は、投入口蓋とそれぞれ分離して形成し、投入口蓋と補助排水口蓋との中間部分に開閉用ヒンジ装置を取り付け連結接続してこれらを合体し、一体化に組み合わせる手段とする。
上記の組み合わせ手段によって、投入口蓋と排水口蓋はヒンジ装置の部分から屈折可能構造とした一体化の組み合わせ方法にする。そうすることによって、排水口蓋を排水カップの上面に閉じた状態で投入口蓋を常時開閉させることができる。
ヒンジ装置としては、開閉用オイルロータリーダンパー装置を用いる他に、蝶番金具やジョイント金具としてピン等を用いて回転が自由にできる接続金具等を用いても用を成すものである。
ヒンジ装置としてロータリーダンパー装置を用いることによって、投入口蓋を緩やかに閉まるようにスロー閉じ蓋構造手段とすることができる。
【００１３】  投入口蓋の上面前端部に取り付けた開閉用ハンドル付ラッチ錠においては、投入口蓋の上面からラッチ錠の開閉用ハンドルやハンドルケース等を突出させないフラット構造方法で投入口蓋に内蔵する。
そしてそれらのラッチ錠の構造は、排水がラッチ錠やハンドルケース内に浸入しないようにするために、ハンドルケース内にハンドルの回転軸支である回動枢軸収納部を設けた凹部浸入防止ポケット壁で囲い浸入防止とする。
【００１４】  ハンドル付ラッチ錠に排水がかかっても浸入することがなく、また残渣や排水がラッチ錠の上面に溜まらないように空洞化を少なく形成してハンドルの空間部分に凸部壁面を設ける。ハンドル付ラッチ錠は、投入口蓋の上面と同一にフラット状に装着する。
また、本発明の他の実施例として、投入口蓋に取り付けられた上記のような開閉用ハンドル付ラッチ錠とは異なる施錠手段として、開閉用ハンドル付ラッチ錠の変わりに、ローコスト型の突出係止片を突出させて施錠を施し、更に一方に上記の着脱用ラッチ錠を取り付けて操作することにより、一体化として形成した投入口蓋及び排水口蓋を同時に着脱と開閉手段をする。
上記のような開閉用ハンドル付ラッチ錠やヒンジ装置が必要としないローコスト型が可能になる。
【発明の効果】
【００１５】  上述したように本発明の二点施錠式投入口蓋は、手前側の前端部上面に取り付けられた開閉用ハンドル付ラッチ錠のハンドル操作によって容易に投入口蓋を手前側から開放して奥側に直立させて立てかけることができるため開放蓋が邪魔にならず、シンクの底面を広く利用でき物も置けて生ゴミの投入ができる。
一体化された投入口蓋と補助排水口蓋は、着脱用ラッチ錠によって同時に開放、着脱させることができるため手間がかからず、ヒンジ装置ごと同時に外して掃除や洗浄がしやすくなる。
【００１６】  開閉用ロータリーダンパー装置が投入口蓋に取り付けることにより、緩やかに閉まりスロー閉じ蓋構造で安全で、排水カップの上面に補助排水口蓋が閉じた状態でも投入口蓋が自在に開閉できるので便利である。
二点施錠式にすることにより、投入口蓋及び排水口蓋の開放と着脱が容易で、乾燥中容器内で発生するガスの圧力によって生ずる蓋の開放防止となる。
【００１７】  投入口蓋に取り付けられた開閉用ハンドル付ラッチ錠は、投入口蓋の上面の高さと同一、平らで突出していないため、物を乗せてもぐらつくことがなく安全である。
【００１８】  ハンドルケース内にハンドルの回動枢軸収納部を設けた凹部浸入防止ポケット壁構造であるためラッチ錠及びハンドルケース内に排水が浸入することがなく、またハンドル周囲も空洞化を少なくしハンドルの空間部分に凸部壁面を設けてあるので残渣や排水が溜まるという問題も解決される。
また、投入口蓋の前端部に突出させたローコスト型突出係止片と、着脱用ラッチ錠を用いることで、一体化として形成した投入口蓋及び排水口蓋を容易に着脱開閉させる簡易ローコスト型の構造蓋ができるため便利である。
【発明を実施するための最良の形態】
【００１９】  以下本発明の実施の形態を図１〜図９に基づいて説明する。【００２０】  図１〜図２においては、シンク１のシンク底面２に着脱生ゴミ投入容器３を垂下させて、固定外容器４の内部に装着し、それらの上面部分に生ゴミ投入口蓋５をシンク底面２と同一面にかぶせて装着する。投入口蓋５の裏側は、熱風や吸排気を導くための誘導ボックス装置６が装着されている。【００２１】  生ゴミ投入容器３にかぶせられた生ゴミ投入口蓋５には、奥側一方に補助排水口蓋７を一体化として取り付けている。一体化するためにはヒンジ装置４３を投入口蓋５と補助排水口蓋７との間に取り付けて開閉用ロータリーダンパー装置８を内蔵し、そのロータリーダンパー装置８の左右のヒンジ軸９で連結接続し、ヒンジ装置４３から屈折可能にして投入口蓋５を開閉自在に固着されて一体化にしている。
補助排水口蓋７には、排水入口１０と排水トレー１１が形成されている。装着された補助排水口蓋７は、排水カップ１９の上面に閉じた状態で投入口蓋５が自在に開閉される。【００２２】  また、投入口蓋５の上面手前側である前端部には蓋を開放及び施錠するための開閉用ハンドル付ラッチ錠１２を取り付け、更に他一方の奥端部裏側に投入口蓋５及び補助排水口蓋７を着脱と施錠を施すために着脱用ラッチ錠１３をラッチ取り付け面２４に取り付ける。
着脱用ラッチ錠１３は支持することを基準としているためハンドルは必要としない。
上記のように投入口蓋５には二点施錠手段のラッチ錠を設けている。【００２３】  投入口蓋５の一方奥端部に蓋の取っ手１４を設け、その裏側に着脱用ラッチ錠１３を解錠させるための解錠用レバー１５を突設させて装着している。解錠用レバー１５の裏側には着脱用ラッチ錠１３と係合させるためのラッチ可動ピン１６を突出させている。
ラッチ可動ピン１６は、可動可能にするため楕円状の通行溝として設けた貫通溝孔４２から貫通させラッチボルト１７とかみ合って係合させる構造になっている。【００２４】  一体化された投入口蓋５及び補助排水口蓋７をかぶせる場合、最初に投入口蓋５に設けた開閉用ハンドル付ラッチ錠１２のラッチボルト１７をラッチボルト受け１８の穴に側面から挿入させて蓋をすると同時に一方の排水口蓋７を排水カップ１９の上面にかぶせて閉じる。
投入口蓋５及び排水口蓋７をかぶせることによって突出したラッチ可動ピン１６は、貫通溝孔４２から貫通挿入されてラッチボルト１７にかみ合って可動構造とされ、ラッチボルト１７はラッチボルト受け１８に嵌まって施錠される。【００２５】    開閉用ハンドル付ラッチ錠１２の使用方法は、生ゴミを常時投入するとき、リングハンドル２０に設けたハンドル起こし用の突起２１を下方向に押し込むことによってリングハンドル２０の握り一部分が上方に持ち上げられるので、リングのハンドル空間部２２に指を挿入してつまみながら上方に持ち上げてラッチボルト受け１８からラッチボルト１７を外して投入口蓋５が開放される。
また、蓋が開放されると同時に着脱用ラッチ錠１３とかみ合っていた解錠用レバー１５に設けたラッチ可動ピン１６が上方に持ち上げられて外される。【００２６】  投入口蓋５が開放された状態であっても補助排水口蓋７は排水カップ１９の上面に閉じられ、開放された投入口蓋５を閉めるときは蓋の端部を軽く触れ倒すことにより、蓋の自重でロータリーダンパー装置８が働いて緩やかにスロー閉じ蓋になる。【００２７】  一体化となった投入口蓋５及び補助排水口蓋７の着脱方法は、閉じ方は前述通りで、外す場合は解錠用レバー１５を押すことによってかみ合っていたラッチ可動ピン１６がラッチボルト１７とスプリング２３が共に押し縮められてラッチボルト受け１８から外れると同時に蓋の取っ手１４を上方に持ち上げると補助排水口蓋７ごと外れる。【００２８】着脱用ラッチ錠１３は、蓋裏のラッチ取り付け面２４にラッチケース２５とともに固着されている。
尚、上記は、投入口蓋５と排水口蓋７とを連結接続による一体化として説明されているが、必ずしも一体化とせず、分離境界線４４の付近から投入口蓋５と排水口蓋７をそれぞれ分離し、投入口蓋５に取り付けたヒンジ装置４３ごと外して投入口蓋のみを着脱開閉操作させることもできるので用途によって任意である。【００２９】  図３において、投入口蓋５と排水口蓋７とを一体固定化に組み合わせた簡易型の着脱投入口蓋及び排水口蓋の開閉構造である。
投入口蓋５の前端部にローコストの棒状や板状の突起物である突出係止片４５を突出させて固着し、それをラッチボルト受け１８に挿入して施錠する。
更に投入口蓋５の一方端部に上記図１で示す着脱用ラッチ錠１３を取り付けて着脱と施錠手段を施す。
上記図１〜２で示す開閉用ハンドル付ラッチ錠１２とロータリーダンパー装置８及びヒンジ装置４３が取り付いていないので簡易型ローコスト構造にすることができ、開閉には取っ手１４をつまんで一体固定化の投入口蓋５及び排水口蓋７を上方に持ち上げて開閉着脱させる。【００３０】  本発明の投入口蓋５の前端部に取り付けられる開閉用ハンドル付ラッチ錠１２について使用実施例１〜使用実施例３による図４〜図９に基づいて説明する。
使用実施例１の図４〜図５は、本発明の投入口蓋５、図１に取り付けられたリングハンドル型ラッチ錠１２である。
これらは、ハンドルケース２６内に回動自在に可動させる軸支とする枢動２７によってハンドル空間部２２のあるリング状のハンドル２０をリング溝２８に嵌まってフラット状に組み込まれている。
枢軸２７の部分は回動枢軸収納部２９を設けて排水の浸入防止とする凹部浸入防止ポケット壁３０を形成してラッチ錠内及びハンドルケース２６内に排水の浸入防止を行う。枢軸２７の両サイドには、可動歯３１をハンドルケース２６の外側に露出させて取り付け、ラッチボルト１７に設けられたラッチ可動ピン１６とかみ合うように遊びスペース３２を設けて組み込んでいる。
ハンドル２０の一端上面にハンドル２０を起こすための突起２１を設けている。突起２１の高さは１ｍｍ前後が適しており、物を置いても支障がない程度の突起の高さに設けている。【００３１】  リングハンドル２０を起こす場合は、突起２１を指で押し下げることにより、枢軸２７が回動し、遊びスペース３２の移動範囲内でリングハンドル２０の一部端部が軽く持ち上がってリングのハンドル空間部２２に指を挿入して起立させると同時に両サイドの可動歯３１がラッチ可動ピン１６とかみ合い係合してラッチボルト１７を縮めることでラッチボルト受け１８から外れる仕組みとなっている。【００３２】  リングハンドル２０のハンドル空間部分２２は凸部壁面３３をリングハンドル２０の上面と同一高さに突設して平らにし、空洞化を少なくして残渣や排水が溜らないようにした。【００３３】  使用実施例２の図６〜図７及び使用実施例３の図８〜図９は、他に多種多様に考えられるラッチ錠の構造である。
これらの使用実施例２の図６〜図７は、リング型ラッチ錠であるが可動歯３１をハンドルケース２６の内部とする凹部浸入防止ポケット壁３０に内蔵した方法である。
凹部浸入防止ポケット壁３０の底部にスライド溝３４を設けてその上部に浸入防止用の移動パッキン３５をラッチボルト１７に設けられたラッチ可動ピン１６に挿入させて装着する。
図７の平面図においては、ハンドル２０の部分を取り除いた図で示されている。
操作方法は、突起２１を下に押し下げることによりハンドル２０の一部が遊びスペース３２の範囲以内で軽く持ち上がるのでハンドル空間部２２に指を挿入して可動歯３１にラッチ可動ピン１６とかみ合わせスライド溝３４にそって移動させてラッチ受け１８からラッチボルト１７を外し解錠する。
尚、使用実施例２によるハンドル付ラッチ錠の取り付け方法としては、前記、図２記載の排水通路凹溝３９を形成して取り付けた場合、リングハンドル２０の先端方向に設けた係止片４１の部分を排水通路凹溝３９の底面４０にそって下げて取り付けられる形状にすることによって、リングハンドル２０を配設することにより、リングハンドル２０の端部が底面４０に接して段差が生じるので底面４０から指で持ち上げて起立させることができる。
その場合は、凸部壁面３３及び突起２１は必ずしも必要とせず、用途によって設ければ良い。
排水通路凹溝３９は排水をスムーズに流す目的のほか、凹溝の底面４０を利用してラッチ錠を取り付けることでハンドル２０を指で起立させるための凹溝として活用もできる。【００３４】  使用実施例３の図８〜図９のラッチ錠は、平面板状形成によるハンドル型ラッチ錠で可動歯３１はハンドルケース２６の外部両サイドに露出させて設けたものである。
ハンドルケース２６内の回動枢軸収納部２９及び凹部浸入防止ポケット壁３０の内部に枢軸２７でハンドル空間部分２２を設けた平面板状ハンドル２０を装着している。
ハンドル空間部分２２には装着時、凸部壁面３３とハンドルのツバ入り凹溝３６（図９参照）を形成したところにハンドルツバ３７（図８参照）が同時に嵌まって空洞化を少なくし排水が溜まらないようにした。
図９の平面図においては、ハンドル２０の部分を取り除いた図で示されている。【００３５】  使用実施例３のラッチ錠を使用する場合、使用実施例１及び２と同様な操作方法で、ハンドル２０に設けた突起２１を押し下げることにより、遊びスペース３２の移動範囲内で軽くハンドル２０が浮き上がるのでつまんで持ち上げると同時にラッチ可動ピン１６と可動歯３１が係合してラッチボルト１７が外れる。
使用実施例１〜実施例３のラッチ錠に使用された枢軸２７の両サイド接続面には防水パッキン３８が嵌められているため、排水の浸入防止を施している。
図２には、排水の流れやラッチ錠のハンドルを持ち上げやすくするために排水通路凹溝３９を形成する方法もあるが用途に応じて設ければよい。
上記は、ラッチ錠式による使用実施例として説明しているが本発明は投入口蓋に二点式施錠手段を目的にしているので必ずしもラッチ錠式とは限らず、図２で示すように突出係止片４５のような施錠式でも良く、施錠手段は掛け金、かんぬき式等多種多様に考えられ用途によって用いられれば良い。
【図面の簡単な説明】
【００３６】
【図１】  本発明の実施形態１を示す側面断面図
【図２】  同平面図
【図３】  本発明の実施形態２を示す側面断面図
【図４】  投入口蓋に用いられるラッチ錠の使用実施例１を示す側面断面図
【図５】  同平面図
【図６】  投入口蓋に用いられるラッチ錠の使用実施例２を示す側面断面図
【図７】  ハンドルを取り除いた同平面図
【図８】  投入口蓋に用いられるラッチ錠の使用実施例３を示す側面断面図
【図９】  ハンドルを取り除いた同平面図
【符号の説明】
【００３７】  ２  シンク底面
５  投入口蓋
７  排水口蓋
８  ロータリーダンパー装置
１２  開閉用ハンドル付ラッチ錠
１３  着脱用ラッチ錠
１４  取っ手
１５  解錠用レバー
１６  ラッチ可動ピン
１７  ラッチボルト
１８  ラッチ受け
１９  排水カップ
２０  ハンドル
２１  突起
２２  ハンドル空間部
２６  ハンドルケース
２７  枢軸
２９  回動枢軸収納部
３０  凹部浸入防止ポケット壁
３３  凸部壁面
３９  排水通路凹溝
４３  ヒンジ装置
４４  分離境界線
４５  突出係止片
【図１】
0004441765.tif 000002
【図２】
0004441765.tif 000003
【図３】
0004441765.tif 000004
【図４】
0004441765.tif 000005
【図５】
0004441765.tif 000006
【図６】
0004441765.tif 000007
【図７】
0004441765.tif 000008
【図８】
0004441765.tif 000009
【図９】
0004441765.tif 000010